(57)【要約】【課題】バッグ本体へのボトムの組付けに伴い、ボトムが多少変形した状態でバッグ本体に組付けられた後にあっても、脚部の設置面の高さを簡単に揃えることの出来るキャディバッグを提供する。【解決手段】筒状のバッグ本体の下端部にボトムが組みつけられて成るキャディバッグにおいて、ボトムの下面には、ボトムに対して固定されている固定側脚部と、ボトムに対して高さ調整可能な可動側脚部とが設けられ、可動側脚部には、手動操作によりその高さを変更可能とする操作手段が備えられ可動側脚部とボトムとの間には、可動側脚部の作動をロックするためのロック手段が設けられている。【選択図】  図５
2004223235.tif 000002
【特許請求の範囲】
【請求項１】
筒状のバッグ本体の下端部にボトムが組みつけられて成るキャディバッグにおいて、
ボトムの下面には、ボトムに対して固定されている固定側脚部と、ボトムに対して高さ調整可能な可動側脚部とが設けられていることを特徴とするキャディバッグ。
【請求項２】
可動側脚部には、手動操作によりその高さを変更可能とする操作手段が備えられていることを特徴とする請求項１に記載のキャディバッグ。
【請求項３】
可動側脚部が、荷重の作用によりその高さを変更するようにしていることを特徴とする請求項１に記載のキャディバッグ。
【請求項４】
可動側脚部とボトムとの間には、可動側脚部の作動をロックするためのロック手段が設けられていることを特徴とする請求項１または２に記載のキャディバッグ。
【請求項５】
操作手段が、回転操作により高さ調整可能としていることを特徴とする請求項２または４に記載のキャディバッグ。
【発明の詳細な説明】
【０００１】
【産業上の利用分野】
本発明は、主としてゴルフ用クラブを収容して持ち運びするためのキャディバッグに関する。
【０００２】
【従来の技術】
一般にキャディバッグは、筒状に形成されたバッグ本体の下端開口部に、バッグ本体とは別途形成されたボトムが組付けられている。
【０００３】
ボトムは、底板部とこの底板部の外周を囲む筒状部とが備えられており、また底板部の下面には、複数の脚部が突設され、バッグを地面上に置く場合などにおいて、脚部の下端の設置面を地面に設置させるようにしている。
【０００４】
そして以上のキャディバッグにあっては、ボトムの筒状部の外周にバッグ本体の下端部を被せて、両者を逢着することで、バッグ本体にボトムを組付けて、キャディバッグを作製するようにしている。
【０００５】
【発明が解決しようとする課題】
ところで、以上のバッグでは、通常、ボトムが合成樹脂材料より形成されていることから、ボトムの成形時の冷却変形や、あるいはキャディバッグの作製に際してバッグ本体の下面開口部をボトムの筒状部に密嵌させる時や、筒状部とバッグ本体との間にバックルなどを差し込むに伴い、ボトムが変形して、そのままバッグ本体に組付けられることがある。
【０００６】
そして、ボトムがバッグ本体に対して変形した状態で組付けられると、底板部に設けられた複数の脚部の設置面の高さがまちまちとなって、例えばキャディバッグを立てて置いた時にバッグ全体が不安定となり、場合によっては、バッグの転倒の要因ともなる。
【０００７】
そのため、従来では、キャディバッグの製造時、ボトムが変形した状態でバッグ本体に組付けられて、複数の脚部の設置面の高さがまちまちとなった場合には、ボトムをバッグ本体から一旦取り外し、設置面の高さが揃うように再度逢着し直しているのが現状であり、製造に手間を要する不具合がある。
【０００８】
本発明は以上の実情に鑑みて開発されたものであって、目的とするところは、バッグ本体へのボトムの組付けに伴い、ボトムが多少変形した状態でバッグ本体に組付けられた後にあっても、脚部の設置面の高さを揃えることの出来るキャディバッグを提供することにある。
【０００９】
【課題を解決するための手段】
前記した目的を達成するために、請求項１の発明は、筒状のバッグ本体の下端部にボトムが組みつけられて成るキャディバッグにおいて、ボトムの下面には、ボトムに対して固定されている固定側脚部と、ボトムに対して高さ調整可能な可動側脚部とが設けられていることを特徴とするものである。
【００１０】
請求項２に記載の発明は、請求項１に記載のキャディバッグにおいて、可動側脚部には、手動操作によりその高さを変更可能とする操作手段が備えられていることを特徴とするものである。
【００１１】
請求項３に記載の発明は、請求項１に記載のキャディバッグにおいて、動側脚部が、荷重の作用によりその高さを変更するようにしていることを特徴とするものである。
【００１２】
請求項４に記載の発明は、請求項１または２に記載のキャディバッグにおいて、可動側脚部とボトムとの間には、可動側脚部の作動をロックするためのロック手段が設けられていることを特徴とするものである。
【００１３】
請求項５に記載の発明は、請求項２または４に記載のキャディバッグにおいて、  操作手段が、回転操作により高さ調整可能としていることを特徴とするものである。
【００１４】
【発明の実施の形態】
次に本発明をキャディバッグに適用した実施形態を説明する。
【００１５】
図１において符号１で示すキャディバッグは、主としてゴルフクラブ（図示せず）を収納するための筒状をしたバッグ本体２と、このバッグ本体２の下端に組み付けられてキャディバッグ１の底を画成する有底筒状のボトム３とから構成されている。
【００１６】
バッグ本体２は、基本的には、胴芯として円筒状に形成された合成樹脂製のベース部材２ａと、ベース部材２ａの外面を覆う被覆材２ｂとから構成されている。
【００１７】
このバッグ本体２には、その前側面部にハンガーグリップ２１が取り付けられ、このハンガーグリップ２１よりも下方にはフロントポケット２２が設けられ、また側部にはサイドポケット２３が設けられている。
【００１８】
ボトム３は、合成樹脂材料から形成されたものであって、バッグ本体１の下端開口が密嵌可能な略円筒状の筒状部３１と、筒状部３１の下端開口を閉鎖する円板状の底板部３２とが備えられ、底板部３２の下面には、バッグ１を被設置面Ｂ上に立設させた際に被設置面Ｂに接地する円形の設置面４０を備えた円柱状の固定側脚部４と、同じく円形の設置面５０を備え、回転操作によりボトム３に対して高さ調整可能な円柱状の可動側脚部５とが設けられている。
【００１９】
図１〜図５に示す実施形態では、固定側脚部４及び可動側脚部５は、底板部３２の下面の周縁部位に周方向に等間隔で５個配設され、この５個中、固定側脚部４が３個で、残りの２個が可動側脚部４であって、２個の可動側脚部５は１つの固定側脚部４を挟んで配設されている。
【００２０】
固定側脚部４は、軟質の合成樹脂材料（オレフィン系エラストマー）から形成され、底板部３２の下面に一体に組みつけられている。
【００２１】
可動側脚部５は、硬質の合成樹脂材料（硬質ナイロン素材）から形成された円柱状の脚本体５１が備えられ、この脚本体５１の上部外周には、雄螺子５２が形成されている。
【００２２】
またこの脚本体５１の下部側には、図５にも示すように、軟質の合成樹脂材料（オレフィン系エラストマー）から形成された脚体５３が設けられ、この脚体５３の下面を設置面５０としている。
【００２３】
一方、底板部３２には、底板部３２の下面に開口する凹所３３が形成され、この凹所３３の内周面には、前述の雄螺子５２が螺合可能な雌螺子３４が形成されている。
【００２４】
そして前述の可動側脚部５を構成する脚本体５１の雄螺子５２を凹所３３の雌螺子３４に螺合して、可動側脚部５の回転操作による可動側脚部５の螺進若しくは螺退により、ボトム３に対する可動側脚部５の高さを調整可能としている。
また可動側脚部５とボトム３との間に、可動側脚部５の回転動作をロックするためのロック手段６が設けられている。
【００２５】
このロック手段６は図５にも示すように、頭部６１ａを備えた円柱状のロックピン６１と、図４にも示すように、凹所３３の内底部３３０に形成された６つの嵌合孔６２と、可動側脚部５に形成された貫通孔６３とから構成され、ロックピン６１を貫通孔６３から嵌合孔６２の任意の１つに嵌合させることで、可動側脚部５の回転動作がロックされるようにしている。
【００２６】
また実施形態では、固定側脚部４の設置面４０は、底板部３２の中心から外方に向かって僅かに斜め下方に傾斜させて、地面等の被設置面Ｂへの設置時、設置面４０の外側部位が主として地面等の被設置面Ｂに接地するようにしている。
また固定側脚部４及び可動側脚部５の下端周縁は、設置面４０・５０に連続する円弧面４０１・５０１に形成している。
【００２７】
以上の構成からなるキャディバッグにあっては、ボトム３にバッグ本体２を組み付けるに際して、好ましくは、予め可動側脚部５を螺退進させて、図２に示すように、可動側脚部５の設置面５０を固定脚部４の設置面４０よりも若干高くしておいた上で、ボトム３の筒状部３１にバッグ本体２の下端部を嵌め込んで、バッグ本体２にボトム３を固定するのである。
【００２８】
そして、バッグ本体２へのボトム３の組付により、キャディバック１の組立が完了した後、３箇所の固定側脚部４で被設置面Ｂに対して予め水平をとり、その後、２個の可動側脚部５のいずれか若しくは両方を適宜回転させて、可動側脚部５をボトム３に対して螺進させることで、可動側脚部５の高さを調整して、固定側脚部４及び可動側脚部５の設置面４０・５０がすべて被設置面Ｂに接地するようにセットするのである。
【００２９】
この時、貫通孔６３が嵌合孔６２の１つと連通する位置で可動側脚部５の回転を停止し、続いて、ロックピン６１を貫通孔６３から連通する嵌合孔６２に圧入して、可動側脚部５の回転を不能にする。
【００３０】
尚、底板部３２の下面には、嵌合孔６２の位置を示す目印６４を付けておくのが好ましく、この目印６４により、貫通孔６３と嵌合孔６２の１つを連通させる作業が簡単に行なえる。
【００３１】
斯くして、以上のキャディバッグ１にあっては、キャディバッグ１の作製に際し、バッグ本体２の下面開口部をボトム３の筒状部３１に密嵌させるに伴って、たとえボトム３が変形するようなことがあっても、可動側脚部５の高さを適宜調整するだけで、すべての脚部４・５の設置面４０・５０を被設置面Ｂに確実に接地させることが出来るのであって、従来のように、ボトムをバッグ本体から一旦取り外して、設置面の高さが揃うように再度逢着し直す等の手間が省かれるのである。
【００３２】
そして以上のごとく組み立てられたキャディバッグ１にあっては、固定側脚部４と可動側脚部５のすべての設置面４０・５０が被設置面Ｂに確実に接地するので、キャディバッグ１が不用意にぐらつくようなことなく、安定良く立設させることが出来るのである。
【００３３】
また以上のキャディバッグ１の固定側脚部４及び可動側脚部の脚体５３は軟質の合成樹脂材料から形成されて、被設置面Ｂに対して接触抵抗が大きいことから、キャディバッグ１が不用意に滑るようなこともないし、またクッション性もよいのである。
【００３４】
以上の実施形態では、可動側脚部５の回転動作をロックするためのロック手段６として、円柱状のロックピン６１を用いたが、これに限定されるものではなく、例えば図６に示すように、長さ方向一端部をＬ字状に形成したプレート状のロックピン６１０を用いてもよく、この場合、貫通孔６３及び嵌合孔６２の断面形状もロックピン６１０が嵌合可能な矩形状に形成するのが好ましい。
【００３５】
また以上の実施形態では、嵌合孔６２を６個形成したが、これに限定されるものではなく、例えば８個形成してもよい。
【００３６】
また以上の実施形態では、可動側脚部５を、回転による動作で高さ調整可能としたが、これに限定されるものではなく、例えばスライドにより、高さ調整可能としてもよい。
【００３７】
また以上の実施形態では、３個の固定側脚部４と２個の可動側脚部５を、底板部３２の下面の周縁部位に周方向に等間隔で配設したが、これに限定されるものではなく、ボトム３の大きさなどに合わせて、適当なの個数の固定側脚部４と可動側脚部５を、底板部３２の下面に設ければよい。
【００３８】
また図７〜図８は、本発明の別の実施形態を示すものであって、可動側脚部５を、この可動脚部５に加わる荷重の作用によりその高さが変更するようにしたのである。
【００３９】
次にその構造を説明する。
【００４０】
図７〜図８に示す実施形態のキャディバッグでは、図１〜図５に示した実施形態と同様、固定側脚部４と可動側脚部５が、底板部３２の下面の周縁部位に周方向に等間隔で５個配設され、この５個中、固定側脚部４が３個で、残りの２個が可動側脚部４であって、２個の可動側脚部５は、１つの固定側脚部４を挟んで配設されており、また固定側脚部４は、軟質の合成樹脂材料（オレフィン系エラストマー）から形成され、底板部３２の下面に一体に組みつけられている。
【００４１】
可動側脚部５は、硬質の合成樹脂材料（硬質ナイロン素材）から形成された円柱状の脚本体５１が備えられ、この脚本体５１の上面中央には、小径軸５５が突設されている。
【００４２】
脚本体５１の外周乃至下面側には、前記した実施形態と同様、軟質の合成樹脂材料（オレフィン系エラストマー）から形成された脚体５３が設けられ、この脚体５３の下面を設置面５０としている。
【００４３】
小径軸５５の基部外周には、所定荷重の作用により、圧縮方向に変形するリング状の緩衝材７が嵌め込まれている。
【００４４】
緩衝材７は、ポリウレタン樹脂を主成分としたゲル状物質から形成され、（実施形態では、イイダ産業株式会社製の商品名ＥＸＰＥＲ−Ｕを使用）その外径は、後記する凹所３３の内径よりも若干小径にしている。
【００４５】
尚、緩衝材７として、例えばコイルスプリングや板ばねを用いてもよい。
【００４６】
また底板部３２には、底板部３２の下面に円形に開口する凹所３３が形成され、この凹所３３の奥壁３３１には、小径軸５５が挿通可能な貫通孔３３２が形成されている。
【００４７】
そして、前記した可動側脚部５の小径軸５５を凹所３３内から貫通孔３３２に挿通して、その挿通端部にＣリング５６を組み付けることで、小径軸５５が貫通孔３３２から抜け外れないようにして、凹所３３の奥壁３３１に対する脚本体５１の相対移動により、凹所３３の奥壁３３１と脚本体５１とで、緩衝材７を圧縮変形させるようにしている。
【００４８】
以上の構成からなるキャディバッグにあっても、ボトム３にバッグ本体２を組み付けるに際して、図１〜図５に示す実施形態と同様に、可動側脚部５の設置面５０を固定脚部４の設置面４０よりも若干高く設定しておいた上で、ボトム３の筒状部３１にバッグ本体２の下端部を嵌め込んで、バッグ本体２にボトム３を固定するのである。
【００４９】
以上のキャディバッグにあっては、その使用時に被設置面Ｂ上に立てた状態に置くと、緩衝材７に加わるキャディバッグの荷重により、緩衝材７が圧縮方向に弾性変形して、ショックアブソーバの働きをするのであって、これに伴い、高低差のあった可動側脚部５と固定側脚部４の高さがほぼ均等となり、結果として、キャディバッグのぐらつきが解消されるのである。
【００５０】
斯くして、図７、図８に示す可動脚部を備えたキャディバッグ１にあっても、キャディバッグ１の作製に際し、バッグ本体２の下面開口部をボトム３の筒状部３１に密嵌させるに伴って、たとえボトム３が変形するようなことがあっても、使用に際しては、すべての脚部４・５の設置面４０・５０を被設置面Ｂに確実に接地させて、キャディバッグ１を安定良く立設させることが出来るのであって、従来のように、ボトムをバッグ本体から一旦取り外して、設置面の高さが揃うように再度逢着し直す等の手間が省かれるのである。
【００５１】
【発明の効果】
以上のごとく請求項１に記載の発明によれば、ボトムの下面に、ボトムに対して固定されている固定側脚部と、ボトムに対して高さ調整可能な可動側脚部とを設けたことにより、例えば、バッグ本体へのボトムの組付けに伴い、ボトムが変形した状態でバッグ本体に組付けられた場合でも、従来のように、ボトムをバッグ本体から一旦取り外して、設置面の高さが揃うように再度逢着し直さなくとも、脚部の設置面の高さを簡単且つ容易に揃えることが出来、全体として、バッグの組立手間が少なくなるし、更には、使用により脚部が磨耗して、バッグのバランスがくずれても、その修正が容易に行なえる。
【００５２】
請求項２に記載の発明によれば、請求項１に記載の可動側脚部に、手動操作によりその高さを変更可能とする操作手段を備えたことにより、
請求項１に記載の発明の効果に加え、捜査手段による操作でワンタッチで可動脚部の高さを自由にしかも所望の高さに変更することが出来る。
【００５３】
請求項３に記載の発明によれば、請求項１に記載の可動側脚部が、荷重の作用によりその高さを変更するようにしたことにより、請求項１に記載の発明の効果に加え、キャディバッグを立てるだけで、固定側脚部と可動側脚部の高さを揃えることが出来る。
【００５４】
請求項４に記載の発明によれば、請求項１または２に記載のキャディバッグにおいて、可動側脚部とボトムとの間に、可動側脚部の可動をロックするためのロック手段を設けたことにより、請求項１または２に記載の発明の効果に加え、調整した可動側脚部の高さが不用意に狂うような不具合を解消することが出来る。
【００５５】
請求項５に記載の発明によれば、請求項２または４に記載のキャディバッグの動側脚部を、回転動作で高さ調整可能としたことにより、請求項２または４に記載の発明の効果に加え、可動側脚部の回転操作だけで、その高さが簡単に調整することが出来る。
【図面の簡単な説明】
【図１】本発明にかかるキャディバッグの一実施形態を示す側面図。
【図２】ボトムを拡大して示す側面図。
【図３】可動側脚部を取り外した状態のボトムの要部を拡大して示す底面図。
【図４】ボトムの要部の拡大底面図。
【図５】ボトムの要部の拡大断面図。
【図６】別の実施形態を示すボトムの要部の拡大断面図。
【図７】別の実施形態を示すボトムの要部の拡大断面図。
【図８】同、キャディバッグを設置面に立設させた状態のボトムの要部の拡大断面図。
【符号の説明】
１      キャディバッグ
２      バッグ本体
３      ボトム
３１    筒状部
３２    底板部
４      固定側脚部
４０    設置面
５      可動側脚部
５０    設置面
６      ロック手段
６１    ロックピン
６２    嵌合孔
６３    貫通孔
７      緩衝材
【図１】
2004223235.tif 000003
【図２】
2004223235.tif 000004
【図３】
2004223235.tif 000005
【図４】
2004223235.tif 000006
【図５】
2004223235.tif 000007
【図６】
2004223235.tif 000008
【図７】
2004223235.tif 000009
【図８】
2004223235.tif 000010